(57)【特許請求の範囲】
【請求項１】
伸縮性の本体部と、前記本体部よりも緊締力が強く前記本体部よりも伸縮が抑制されたサポートライン部とを備え、
前記サポートライン部は、伸縮抑制部が一定の間隔をあけて断続的に並ぶように配置されて構成されており、
前記伸縮抑制部は、略円形または花柄の形状であり、
前記伸縮抑制部の直径は、５ｃｍ以上７ｃｍ以下の範囲内にあって、前記伸縮抑制部の間隔は前記伸縮抑制部の半径よりも大きい箇所を有しており、
２０％伸長時における前記サポートライン部の伸長回復力が、本体部の伸長回復力の１．４倍以上２．１倍以下の範囲内にあることを特徴とする衣類。
【請求項２】
前記サポートライン部を構成する伸縮抑制部は、非伸縮性あるいは難伸縮性であることを特徴とする、請求項１記載の衣類。
【請求項３】
前記衣類がボトム衣類であって、
前記本体部は、少なくとも腰部から大腿部の上部までを被覆し、
前記サポートライン部は、大腿部の内転筋群が位置する部位を覆い、かつ、
大腿骨の長手方向の前側ラインよりも外側に対応する位置を下端とし、大腿部の後側であり臀溝の内側端よりも外側に対応する位置を上端として、前記下端から大腿部の前側および大腿部の後側でかつ臀溝の下部を通り、前記上端に向けてらせん状に連なることにより、大腿部に密着した状態で内転筋群の動きをサポートすることを特徴とする、請求項１または２記載の衣類。
【請求項４】
前記サポートライン部を構成する伸縮抑制部は、臀溝にかかる位置に設けられていることを特徴とする、請求項３記載の衣類。
【請求項５】
前記衣類が上半身用衣類であって、
前記本体部は、着用者の上半身の少なくとも胸部に密着する本体身頃であり、
前記サポートライン部は、前記本体身頃における前面の胸骨中央相当部から左右の肩部に至る２本の第１のライン部、
前記胸骨中央相当部から胸部下方を通り左右の脇部に至る２本の第２のライン部、
および前記第２のライン部における左右の脇部近傍を背面で結ぶ第３のライン部を含み、
前記第１のライン部および前記第２のライン部のサポートライン部が、着用時に、着用者の外肋間筋の動きをサポートし、前記第３のライン部のサポートライン部が同じく着用者の広背筋の動きをサポートすることを特徴とする、請求項１または２記載の衣類。
【発明の詳細な説明】
【技術分野】
【０００１】
本発明は、衣類に関する。
【背景技術】
【０００２】
スポーツ用衣類等においては、人体の部位に対応する箇所ごとに伸縮性の異なる布が配置される等して、衣類のコンセプトに見合った機能が付加されている。例えば、特許文献１においては、スポーツ用スパッツが開示されており、このスポーツ用スパッツは、膝上部に設けられた締め付けベルトで筋肉をサポートし、テーピング効果を発揮させることで、筋肉疲労を防止するとともに運動作用をスムーズにしている。また、特許文献２には、スポーツウェアが開示されており、このスポーツウェアは、ウェアの長さ方向に形成された伸縮抑制サポートライン部を、筋肉や関節の動きを規制してテーピング効果を生じ得る方向に形成することで、スポーツ障害を防止させている。
【先行技術文献】
【特許文献】
【０００３】
【特許文献１】特開平９−１４９９５９号公報
【特許文献２】特開平９−２４１９０６号公報
【発明の概要】
【発明が解決しようとする課題】
【０００４】
しかしながら、ベルト状またはライン状に形成されたサポート部を有する場合、着用上の不具合が生じる場合がある。すなわち、皮膚が伸びる部分では、ラインが食い込みやすく、衣類にしわが生じたり、つっぱりが生じたりしやすかった。
【０００５】
そこで、本発明は、サポートライン部が筋肉の動きをサポートしつつ、しわの発生、衣類の食い込みおよびつっぱり等の着用時の不具合を解消することができる衣類を提供することを目的とする。
【課題を解決するための手段】
【０００６】
前記目的を達成するために、本発明の衣類は、伸縮性の本体部と、前記本体部よりも緊締力が強く前記本体部よりも伸縮が抑制されたサポートライン部とを備え、
前記サポートライン部は、伸縮抑制部が一定の間隔をあけて断続的に並ぶように配置されて構成されており、
前記伸縮抑制部は、略円形または花柄の形状であり、
前記伸縮抑制部の直径は、５ｃｍ以上７ｃｍ以下の範囲内にあって、前記伸縮抑制部の間隔は前記伸縮抑制部の半径よりも大きい箇所を有しており、
２０％伸長時における前記サポートライン部の伸長回復力が、本体部の伸長回復力の１．４倍以上２．１倍以下の範囲内にあることを特徴とする。
【発明の効果】
【０００７】
本発明の衣類は、前記のような構成であり、サポートライン部が筋肉の動きをサポートしつつ、着用部位の皮膚の伸びに追随可能であるため、しわの発生、衣類の食い込みおよびつっぱり等の着用時の不具合を解消することができる。
【図面の簡単な説明】
【０００８】
【図１】図１は、本発明の第１の実施形態に係るロングタイプのガードル１００を示す図である。図１（ａ）は、ロングタイプのガードル１００の背面図、図１（ｂ）は、ロングタイプのガードル１００の正面図である。
【図２】図２は、本発明の第１の実施形態に係るロングタイプのガードル１００を示す図である。図２（ａ）は、ロングタイプのガードル１００の左側面図、図２（ｂ）は、ロングタイプのガードル１００を左前側から斜視した状態の平面図である。
【図３】図３は、サポートライン部のパターンのバリエーションを示す図である。図３（ａ）は、従来のサポートライン部を示す図である。図３（ｂ）は、比較例のサポートライン部を示す図である。図３（ｃ）、（ｄ）、（ｅ）、（ｆ）は、本発明におけるサポートライン部のパターンを示す図である。
【図４】図４は、本発明の第２の実施形態に係るロングタイプのガードル２００を示す図である。図４（ａ）は、ロングタイプのガードル２００の背面図、図４（ｂ）は、ロングタイプのガードル２００の正面図である。
【図５】図５は、本発明の第３の実施形態に係るシャツ３００を示す図である。図５（ａ）は、シャツ３００の着用時の正面斜視図、図５（ｂ）は、シャツ３００の背面図である。
【発明を実施するための形態】
【０００９】
本発明の衣類について、例をあげて説明する。ただし、本発明は、以下の例に限定および制限されない。
【００１０】
（第１の実施形態）
図１および図２に、本発明の第１の実施形態に係るロングタイプのガードル１００を示す。図１（ａ）は、ロングタイプのガードル１００の背面図であり、図１（ｂ）は、ロングタイプのガードル１００の正面図である。図２（ａ）は、ロングタイプのガードル１００の左側面図であり、図２（ｂ）は、ロングタイプのガードル１００を左前側から斜視した状態の平面図である。
【００１１】
図示のように、ロングタイプのガードル１００は、腰部から大腿部の上部までを被覆する本体部１０１および、本体部１０１の一部に配置されるサポートライン部１０２を備えている。本体部１０１は伸縮性であり、サポートライン部１０２は本体部１０１よりも緊締力が強く本体部１０１よりも伸縮が抑制されている。サポートライン部１０２は、伸縮抑制部Ｓが一定の間隔をあけて断続的に並ぶように配置されて構成されている。本実施形態において、サポートライン部１０２を構成する伸縮抑制部Ｓは、略円形である。
【００１２】
サポートライン部１０２は、伸縮抑制部Ｓが仮想ラインを形成するように、大腿部の内転筋群が位置する部位を覆っている。そして、サポートライン部１０２は、大腿骨の長手方向の前側ラインよりも外側に対応する位置を下端とし、大腿部の後側であり臀溝の内側端よりも外側に対応する位置を上端として、前記下端から大腿部の前側および大腿部の後側でかつ臀溝の下部を通り、前記上端に向けてらせん状に連なっている。このように配置することにより、大腿部に密着した状態で内転筋群の動きをサポートする。
【００１３】
本実施形態では、ヒップ上部に第２のサポートライン部１０３を設けている。第２のサポートライン部１０３は、帯状に設けられ、中臀筋をサポートし、骨盤を安定させている。
【００１４】
本体部１０１は、伸縮性を有する素材により構成されている。伸縮性を有する素材を用いることで、身体にフィットし、密着させることができる。伸縮性を有する素材としては、経編地または丸編地等が挙げられ、例えば、ツーウェイトリコット、ツーウェイラッセル、トリコネットあるいはベア天竺がある。サポートライン部１０２は、本体部１０１よりも緊締力が強く本体部１０１よりも伸縮が抑制されているが、伸縮抑制部Ｓを非伸縮性あるいは難伸縮性とすることが好ましい。このとき、伸縮抑制部Ｓ以外のサポートライン部１０２は、本体部と同一の素材を用いることができる。また、伸縮抑制部Ｓに、本体部１０１と同一の素材を用いて、前記素材を重ね合わせることで、本体部１０１よりも緊縛力を強く、かつ、伸縮を抑制することも可能である。非伸縮性あるいは難伸縮性の素材としては、例えば、パワーネット、マーキジットあるいはトリコットがある。
【００１５】
本実施形態において、サポートライン部１０２を構成する伸縮抑制部Ｓは、別部材を本体部１０１に縫着等の手段で取り付けて形成されている。伸縮抑制部Ｓと本体部１０１とは必ずしも縫着されている必要はなく、裏打ち、当て布、接ぎ等であってもよい。ただし、本発明はこれらに限られず、例えば樹脂を本体部１０１に塗布して伸縮性を下げることにより伸縮抑制部Ｓを形成してもよい。さらには、本体部１０１の組織を部分的に変更することによって伸縮性を下げることにより伸縮抑制部Ｓを形成してもよい。また、伸縮抑制部Ｓは、抜染または抜蝕加工を利用して形成してもよいし、編構造を部分的に変更するといった手法によって編地の伸縮性を変化させることによって形成してもよい。
【００１６】
本実施形態において、伸縮抑制部Ｓを本体部１０１の内側（着用時に肌と接する側）に設ける場合、滑り止め機能を有してもよい。前記滑り止め機能の例として、例えば、伸縮抑制部Ｓは、着用時において、単位面積当たりの着用箇所との間の摩擦抵抗力が本体部１０１の単位面積当たりの着用箇所との間の摩擦抵抗力よりも相対的に大きいことが好ましい。
【００１７】
サポートライン部１０２の幅は４ｃｍ〜８ｃｍが好ましく、より好ましくは、５ｃｍ〜７ｃｍである。なお、サポートライン部１０２は、内転筋群の動きをサポートし得る形状であればよく、下端から上端までにおける全ての伸縮抑制部Ｓの幅を同一の幅となるように形成してもよいし、位置によって幅を変えてもよい。また、伸縮抑制部Ｓは略円形に限定されず、花柄等の形状であってもよく、それぞれの伸縮抑制部Ｓの形状が異なっていてもよい。
【００１８】
サポートライン部１０２を構成する伸縮抑制部Ｓ同士に一定の間隔を設けることにより、衣類の身体への追随性とサポートライン部１０２の筋肉の動きのサポートとを、より効果的に両立させることができ、好ましい。
【００１９】
本発明の衣類において、サポートライン部１０２は、２０％伸長時における前記サポートライン部の伸長回復力が、本体部の伸長回復力の１．４倍以上２．１倍以下の範囲内にあることを特徴とする。
【００２０】
＜伸長回復性試験方法＞
試験片の形状は、長手方向の長さ２４０ｍｍとし、幅方向の長さ９０ｍｍとなる長方形状とするものを用いて行う。なお、引張速度は３００ｍｍ±２０ｍｍ／ｍｉｎ．とし、除荷速度は引張方向とは反対方向に引張速度と絶対値が同じ速度となるように設定する。
【００２１】
そして、試験片を自然長の８０％に相当する長さまで３回繰り返し引っ張り、このうち３回目の２０％伸長時の伸長力と２０％回復時の回復力とを平均して伸長回復力とする。なお、試験片の上端部を１０ｍｍ掴み代とし、試験片の下端部を１０ｍｍ掴み代とする。すなわち、試験片の前記の自然長（掴み間隔）は２２０ｍｍである。
【００２２】
本実施形態におけるロングタイプのガードルは、このようなサポートライン部１０２を備えることにより、以下に記載する効果を有する。ロングタイプのガードルを着用すると、緊締力の強いサポートライン部１０２が伸長し、さらに着用者の動きに応じて伸縮することになる。ここで、内転筋群が位置する太腿の内側、すなわち正立している人体を長手方向に通過する中心軸線を仮想した場合に、太腿部のうち当該中心軸線に近い部分は、歩行や屈伸などによる股関節の動作によって皮膚が大きく伸長する部位であるため、この部位に対応するサポートライン部１０２および本体部１０１、すなわち、この部位を覆うサポートライン部１０２および本体部１０１は、特に伸長しやすい。したがって、太腿の内側に対応するサポートライン部１０２、すなわち、太腿の内側を覆うサポートライン部１０２は、太腿の内側に対応する本体部１０１、すなわち、太腿の内側を覆う本体部１０１からも張力を受けることとなり、サポートライン部１０２の緊締力はさらに増強される。そして、この緊締力が生じることにより、内転筋群が位置する太腿の内側には、バネで引き戻されるような大きな力が作用する。すなわち、股関節を支点として、大腿骨を内側へ回転させる力が作用して、内転筋群の筋活動量が増加する。このように作用する力が内転筋群の動きをサポートすることにより膝は内側を向きやすくなる。これにより、蟹股が矯正されるとともに、骨盤の後傾も矯正され、脚線美および姿勢美が実現され得る。
【００２３】
また、サポートライン部１０２は、臀部と大腿部後側の境にある臀溝を通るように配置されている。ここで、臀部と大腿部後側は、歩行や屈伸などによる股関節の動作によって皮膚が大きく伸長する部位である。したがって、これらの部位に対応する本体部１０１が大きく伸長することによって、これらの部位からサポートライン部１０２に対して大きな張力が作用するため、サポートライン部１０２の伸長がさらに増長される。すなわち、サポートライン部１０２は、臀部や大腿部後側等の大きく動く部分と連動することによって大きな張力を受け、緊締力がさらに増強されることになる。このような現象は、人体等に固定するテーピングでは実現することができないため、本発明による効果はテーピング技術に比して顕著な効果を有する。
【００２４】
また、サポートライン部１０２は、動きの少ない臀溝を通るように配置されているため、緊締力の高いサポートライン部１０２により着用者の動作が妨げられる事態を低減させることができる。
【００２５】
図１および図２における破線で囲まれた領域に、連続した帯状のサポート部を有する従来のサポート機能を有する衣類では、サポート部が帯状に連続して形成されているため、動作による皮膚の伸び量が異なる部分間での衣類の追随が十分ではなく、しわやつっぱりが生じ、ひいては衣類が食い込んだりずり上がったりしやすかった。発明者らが研究を重ねたところ、サポートライン部を間隔をあけて断続的に並ぶように配置することで、方向性を持ちながら力を分散させることができ、トータルにかかる力（サポート力）を同じになるようにしつつ、皮膚（身体）への追随を良好にすることができるとの知見を得た。また、この知見によれば、従来の連続形成されたサポート部で生じやすかった、着用時の段差や食い込みが生じにくいという利点がある。
【００２６】
図３に、サポートライン部１０２のバリエーションの図を示す。図３では、図１（ａ）のロングタイプのガードル１００において、大転子側（同図における上端の伸縮抑制部の付近の位置に対応）から内もも側にかけてのサポートライン部を示す。図３（ａ）は、従来のサポートライン部を示す図である。図３（ｂ）は、比較例のサポートライン部を示す図である。図３（ｃ）、（ｄ）、（ｅ）、（ｆ）は、本発明におけるサポートライン部１０２のパターンの例（パターン１〜４）を示す図である。
【００２７】
図３（ａ）のサポートライン部（従来例）は、衣類の本体部１０１よりも難伸縮性の生地を用いて当て布として設けたものであり、幅が５ｃｍの帯状の部材としたものである。図３（ｂ）、（ｃ）および（ｄ）に示すサポートライン部の例は、衣類の本体部１０１に、いずれも伸縮抑制部として円形の当て布を設けたものである。図３（ｂ）の例（比較例）は、直径７ｃｍの伸縮抑制部Ｓ１および直径５ｃｍの伸縮抑制部Ｓ２を用いたものである。伸縮抑制部Ｓ１およびＳ２は、図３（ａ）のサポートライン部の生地よりも、難伸縮性の生地を用いている。図３（ｃ）の例（パターン１）は、直径６ｃｍの伸縮抑制部Ｓ３およびＳ４を用いたものである。伸縮抑制部Ｓ３は、図３（ａ）のサポートライン部と同じ生地を用いているが、伸縮抑制部Ｓ４は、非伸縮性の生地を用いている。そして、内もも側において、伸縮抑制部間の間隔を広く取っている。図３（ｄ）の例（パターン２）は、直径６ｃｍの伸縮抑制部Ｓ５を用いたものである。伸縮抑制部Ｓ５は、伸縮抑制部Ｓ１およびＳ２と同じ難伸縮性の生地を用いている。図３（ｄ）では、図３（ｃ）と同じ位置に伸縮抑制部を配置している。図３（ｅ）では、経編地の編構造を変更して、直径約７ｃｍに相当する難伸縮性である花柄の伸縮抑制部Ｓ６と直径約５ｃｍに相当する難伸縮性である花柄の伸縮抑制部Ｓ７とを配置することによりサポートライン部を構成している。図３（ｆ）では、編構造を変更して、前記花柄の伸縮抑制部（Ｓ６、Ｓ７）よりもより難伸縮性となる幾何柄の伸縮抑制部Ｓ８およびＳ９を配置することによりサポートライン部を構成している。伸縮抑制部Ｓ８は直径約７ｃｍに相当し、伸縮抑制部Ｓ９は直径約５ｃｍに相当する。
【００２８】
これらのサポートライン部について、前述の伸長回復性試験を行い、伸長回復力を測定した。伸長回復性試験の試験片としては、長手方向の長さ２４０ｍｍ、幅方向の長さ９０ｍｍの長方形状の衣類の本体部１０１の生地に、図３に示した各サポートライン部パターンを形成したものを用いた。結果を表１に示す。また、図３に示した各サポートライン部パターンを形成したロングタイプのガードルおよびサポートライン部を設けていないロングタイプのガードル（コントロール）を６人の被験者が着用して歩行を行い、膝が内側を向いていることを評価するため、３次元系動作計測装置にて、大腿部のひねり角度を計測し、次の基準で評価した着用評価の結果を表１に示す。
Ａ：大腿部のひねり角度がコントロールより大きくなっている被験者が４名以上である
Ｂ：大腿部のひねり角度がコントロールより大きくなっている被験者が３名である
Ｃ：大腿部のひねり角度がコントロールより大きくなっている被験者が２名以下である
【００２９】
【表１】
0006674082.tif 000002
【００３０】
比較例のパターンでは、伸長回復力の比は大きかったが、歩行時の大腿部のひねり角度がコントロール着用時より大きくなっている被験者は２名以下であった。従来例、パターン１〜パターン４では、従来よりもサポートライン部の伸長回復力と本体部の伸長回復力の比が小さい状態で、半数以上の被験者において、歩行時の大腿部のひねり角度がコントロール着用時より大きくなるという結果が得られた。これらのサポートライン部を各々備えたロングタイプのガードルを着用して歩行を行った際の、着用感評価および着用時の外観評価を行った。その結果、パターン１〜パターン４のサポートライン部を有するガードルでは、全ての着用者において、しわの発生、衣類の食い込みおよびつっぱり等は、従来のサポートライン部のものと比べて抑制され、良好な着用感を維持していた。以上のように、パターン１〜パターン４のサポートライン部を有するガードルでは、良好な着用感を維持しつつ、蟹股が矯正されるとともに、骨盤の後傾も矯正され、脚線美および姿勢美を実現するという効果が得られることが確認できた。
【００３１】
なお、本実施形態では、伸縮抑制部Ｓを円形、花柄、幾何柄に形成する例を挙げているが、本発明はこれに限定されるものではない。例えば、伸縮抑制部を、各種の意匠性のあるデザインの形状としてもよい。
【００３２】
（第２の実施形態）
図４に、本発明の第２の実施形態に係るロングタイプのガードル２００を示す。図４（ａ）は、ロングタイプのガードル２００の背面図、図４（ｂ）は、ロングタイプのガードル２００の正面図である。本実施形態のロングタイプのガードル２００は、ヒップ上部から前側に延びる第２のサポートライン部１０３が、第１の実施形態におけるサポートライン部１０２と同様に、伸縮抑制部Ｓが一定の間隔をあけて断続的に並ぶように配置されて構成されている。本実施形態において、第２のサポートライン部１０３を構成する伸縮抑制部Ｓは、略円形である。
【００３３】
（第３の実施形態）
図５に、本発明の第３の実施形態に係る上半身用衣類であるシャツ３００を示す。図５（ａ）は、シャツ３００の着用時の正面斜視図、図５（ｂ）は、シャツ３００の背面図である。本実施形態のシャツ３００は、伸縮性の本体部と本体部よりも緊締力が強く本体部よりも伸縮が抑制されたサポートライン部とを備えている。本実施形態において、本体部は、着用者の上半身の少なくとも胸部に密着する本体身頃３０１である。そして、前記サポートライン部は、本体身頃３０１における前面の胸骨中央相当部から左右の肩部に至る２本の第１のライン部３０２ａ，３０２ｂ、前記胸骨中央相当部から胸部下方を通り左右の脇部に至る２本の第２のライン部３０２ｃ，３０２ｄ、および第２のライン部３０２ｃ，３０２ｄにおける左右の脇部近傍を背面で結ぶ第３のライン部３０２ｅを含む。第１のライン部３０２ａ，３０２ｂ、第２のライン部３０２ｃ，３０２ｄ、および第３のライン部３０２ｅは、伸縮抑制部Ｓが一定の間隔をあけて断続的に並ぶように配置されて構成されている。
【００３４】
なお、本実施形態のシャツ３００は、本体身頃３０１および袖部３０３を含む長袖シャツである。また、本実施形態においては、左右の肩部に至る２本の第１のライン部３０２ａ，３０２ｂと左右の肩部で連続し、前記肩部と第３のライン部３０２ｅとを所定位置で連結する２本の第４のライン部３０２ｆ，３０２ｇを有している。
【００３５】
このうち、第１のライン部３０２ａ，３０２ｂおよび第２のライン部３０２ｃ，３０２ｄは、胸郭を前上方向へ持ち上げる働きをする外肋間筋の筋繊維に沿った方向に位置する。このため、第１のライン部３０２ａ，３０２ｂおよび第２のライン部３０２ｃ，３０２ｄに沿って、すなわち、外肋間筋の筋繊維に沿って、適度な圧力が加わることとなり、息を吸う時に使う筋肉として外肋間筋をサポートすることができる。また、第１のライン部３０２ａと第２のライン部３０２ｄは連続的に形成されている。同様に、第１のライン部３０２ｂと第２のライン部３０２ｃも連続的に形成されている。このため、外肋間筋を筋繊維に沿ってより効果的にサポートすることができるという利点がある。
【００３６】
また、第３のライン部３０２ｅは、吸気時に脇部を後ろ中心へ向けて引っ張ることで胸郭を外へ広げ胸を張らせる働きをする広背筋の筋繊維に沿った方向に位置する。このため、第３のライン部３０２ｅに沿って、すなわち、広背筋の筋繊維に沿って、適度な圧力が加わることとなり、息を吸う時に使う筋肉としての広背筋をサポートすることができる。
【００３７】
また、第４のライン部３０２ｆ，３０２ｇは、肩を後ろに引くとともに第１のライン部３０２ａ，３０２ｂに沿った胸郭を持ち上げる力を背中側で保持する働きをするので、外肋間筋を筋繊維に沿ってサポートし胸を張らせる効果を増強することができる。
【００３８】
このようにサポートライン部に沿って、息を吸う時に使う筋肉（外肋間筋、広背筋及び大胸筋）をサポートすることができる。このとき、筋肉を筋繊維に沿って自然にサポートするとともに、従来のサポート部の構造で起こりやすかったしわの発生、衣類の食い込みおよびつっぱり等の着用時の不具合を解消することができる。
【００３９】
このようにして、シャツ３００を着用することで、良好な着用感を維持しつつ、胸を張るような力が自然と働き、息を吸う時に使う筋肉を重点的にサポートすることができる。
【００４０】
本実施形態において、本体身頃３０１に使用できる素材は、伸縮性を有する素材であれば特に制限されず、第１の実施形態の本体部１０１と同様の素材を用いることができる。また、サポートライン部の各ライン部３０２ａ，３０２ｂ，３０２ｃ，３０２ｄ，３０２ｅ，３０２ｆ，３０２ｇの伸縮抑制部Ｓは、第１の実施形態の伸縮抑制部Ｓと同様に形成することができる。
【００４１】
なお、本実施形態では、上半身用衣類を長袖シャツ３００とした例を挙げて説明したが、本発明はこれに限定されるものではない。本発明において、前記衣類は、例えば、半袖シャツでもよいし、ジャケット等のアウターとしてもよい。これらの場合にも、本実施形態に係る長袖シャツ３００と同様の効果を得ることができる。
【００４２】
以上、本発明の具体例として、ロングタイプのガードルおよび長袖シャツを挙げて本発明を説明したが、本発明の衣類は、これらの具体例で記載されたもののみに限定されるものではなく、種々の態様が可能である。例えば、上記の実施形態のような衣類以外にも、タイツ、水着、タンクトップ、半袖シャツ、ボタン等で着脱が可能な上着等の衣類、ボディスーツ、肌着、スポーツ衣類、医療用衣類（サポーター）、その他各種の衣類に適用できる。
【符号の説明】
【００４３】
１００、２００  ロングタイプのガードル
１０１  本体部
１０２  サポートライン部
１０３  第２のサポートライン部
３００  シャツ（長袖シャツ）
３０１  本体身頃
３０２ａ，３０２ｂ  第１のライン部（サポートライン部）
３０２ｃ，３０２ｄ  第２のライン部（サポートライン部）
３０２ｅ  第３のライン部（サポートライン部）
３０２ｆ，３０２ｇ  第４のライン部（サポートライン部）
３０３  袖部
Ｓ、Ｓ１、Ｓ２、Ｓ３、Ｓ４、Ｓ５、Ｓ６、Ｓ７、Ｓ８、Ｓ９  伸縮抑制部
【図１】
0006674082.tif 000003
【図２】
0006674082.tif 000004
【図３】
0006674082.tif 000005
【図４】
0006674082.tif 000006
【図５】
0006674082.tif 000007